(57)【要約】    【課題】単方向ドライバＩＣが入手できない場合にも製造可能なコントローラを提供する。    【解決手段】印刷装置等のコントローラ１１を、零抵抗素子の取り付け位置を変えることにより、単方向ドライバＩＣ（２４４ドライバＩＣ）を使用することも、双方向ドライバＩＣ（２４５ドライバＩＣ）も使用することも可能なものとして構成しておく。    【選択図】図２
2008090736.tif 000002
【特許請求の範囲】
【請求項１】
プリント配線板上に，ドライバＩＣを含む複数のデバイスを実装したコントローラであって、
前記ドライバＩＣが、単方向ドライバＩＣ、或いは、前記単方向ドライバＩＣと同一形状であり，ｎ番ピンのレベルを第１レベルとすることにより，ｎ番ピンのレベルを第１レベルとは異なる第２レベルとした前記単方向ドライバＩＣと同機能のＩＣとして機能する双方向ドライバＩＣであり、
零抵抗素子を取り付け可能な第１位置及び第２位置を含む、前記第１位置に零抵抗素子を取り付けた場合には，前記ドライバＩＣの前記ｎ番ピンが前記第１レベルとなり，前記第２位置に零抵抗素子を取り付けた場合には，前記ドライバＩＣの前記ｎ番ピンが前記第２レベルとなる調整用配線が、前記プリント基板上に形成されており、
当該配線の，前記ドライバＩＣとして実装されているＩＣの種類に応じた位置に零抵抗素子が取り付けられている
ことを特徴とするコントローラ。
【請求項２】
前記プリント配線板が、
複数のドライバＩＣを実装可能なものであり、
前記プリント配線板上の前記調整用配線が、
前記第１位置又は前記第２位置に零抵抗素子を取り付けることにより、前記複数のドライバＩＣのそれぞれの前記ｎ番ピンが前記第１レベル又は第２レベルとなる配線である
ことを特徴とする請求項１記載のコントローラ。
【請求項３】
印刷エンジンと，前記印刷エンジンを制御するためのコントローラとを含む印刷装置であって、
前記コントローラが、
プリント配線板上に，ドライバＩＣを含む複数のデバイスを実装したユニットであって、
前記ドライバＩＣが、単方向ドライバＩＣ、或いは、前記単方向ドライバＩＣと同一形状であり，ｎ番ピンのレベルを第１レベルとすることにより，ｎ番ピンのレベルを第１レベルとは異なる第２レベルとした前記単方向ドライバＩＣと同機能のＩＣとして機能する双方向ドライバＩＣであり、
零抵抗素子を取り付け可能な第１位置及び第２位置を含む、前記第１位置に零抵抗素子を取り付けた場合には，前記ドライバＩＣの前記ｎ番ピンが前記第１レベルとなり，前記第２位置に零抵抗素子を取り付けた場合には，前記ドライバＩＣの前記ｎ番ピンが前記第２レベルとなる調整用配線が、前記プリント基板上に形成されており、
当該配線の，前記ドライバＩＣとして実装されているＩＣの種類に応じた位置に零抵抗素子が取り付けられているユニットである
ことを特徴とする印刷装置。
【発明の詳細な説明】
【技術分野】
【０００１】
本発明は、コントローラと印刷装置とに関する。
【背景技術】
【０００２】
一般的な情報処理装置のコントローラ（コントローラボート／メインボード）は、単方向ドライバＩＣを含む各種のデバイスをプリント配線板上に実装したものとなっている。そして、通常の情報処理装置メーカーは、単方向ドライバＩＣを他社から購入しているため、従来のコントローラは、単方向ドライバＩＣが入手できないため，製造できない場合があるものとなっている。
【発明の開示】
【発明が解決しようとする課題】
【０００３】
そこで、本発明の課題は、単方向ドライバＩＣが入手できない場合にも製造可能な構成を有するコントローラ，印刷装置を提供することにある。
【課題を解決するための手段】
【０００４】
上記課題を解決するために、本発明では、ドライバＩＣを含む複数のデバイスをプリント配線板上に実装したコントローラを、ドライバＩＣが、単方向ドライバＩＣ、或いは、単方向ドライバＩＣと同一形状であり，ｎ番ピンのレベルを第１レベルとすることにより，ｎ番ピンのレベルを第１レベルとは異なる第２レベルとした単方向ドライバＩＣと同機能のＩＣとして機能する双方向ドライバＩＣであり、零抵抗素子を取り付け可能な第１位置及び第２位置を含む、第１位置に零抵抗素子を取り付けた場合には，ドライバＩＣのｎ番ピンが第１レベルとなり，第２位置に零抵抗素子を取り付けた場合には，ドライバＩＣのｎ番ピンが第２レベルとなる調整用配線が、プリント基板上に形成されており、当該配線の，ドライバＩＣとして実装されているＩＣの種類に応じた位置に零抵抗素子が取り付けられているものとしておく。
【０００５】
すなわち、本発明のコントローラは、単方向ドライバＩＣの代わりに、双方向ドライバＩＣを用いることが可能な構成を有するものとなっている。従って、この構成を採用しておけば、単方向ドライバＩＣが入手できない場合にも（双方向ドライバＩＣが入手できれば）、コントローラを製造できることになる。
【０００６】
なお、本発明のコントローラを製造する際には、プリント配線板を、複数のドライバＩＣを実装可能なものとしておくと共に、プリント配線板上の調整用配線が、第１位置又は第２位置に零抵抗素子を取り付けることにより、複数のドライバＩＣのそれぞれのｎ番ピンが第１レベル又は第２レベルとなる配線としておくことが出来る。
【０００７】
そして、本発明の印刷装置は、本発明のコントローラを備えている。従って、本発明の印刷装置は、単方向ドライバＩＣが入手できない場合にも（双方向ドライバＩＣが入手できれば）、製造可能な装置となっていると言うことが出来る。
【発明を実施するための最良の形態】
【０００８】
以下、本発明を実施するための最良の形態を、図面を参照して詳細に説明する。
【０００９】
図１に示したように、本発明の一実施形態に係る印刷装置１０は、コントローラ１１と操作パネル１２と印刷エンジン１３とを備えた装置である。
【００１０】
この印刷装置１０が備える操作パネル１２は、ユーザとの間のインタフェース手段として、印刷装置１０の筐体上に設けられているユニットである。操作パネル１２は、ＬＣＤ，複数のＬＥＤ，複数の押しボタンスイッチなどから構成されたユニットとなっている。
【００１１】
印刷エンジン１３は、コントローラ１１からのビデオ信号に応じた内容の印刷（画像形成）を用紙上に行うユニットである。
【００１２】
コントローラ１１は、受信した印刷データからビデオ信号を生成して印刷エンジン１３に供給する処理等を行うユニットである。
【００１３】
このコントローラ１１は、各種デバイス（ＩＣ，抵抗素子等）を，プリント配線板であるコントローラ基板１１ｂ上に実装したユニットとなっている。また、コントローラ１１は、コントローラ基板１１ｂとして、図２に模式的に示したような構成のプリント配線板が用いられたものとなっている。
【００１４】
すなわち、コントローラ１１のコントローラ基板１１ｂは、２４４ドライバＩＣ（８ビットの単方向ドライバＩＣ），或いは，２４５ドライバＩＣ（８ビットの双方向ドライバＩＣ）を４個実装可能な構成のプリント配線板であると共に、零抵抗素子を取り付け可能な位置ＲＪ１及び位置ＲＪ２を含む配線であって、位置ＲＪ１に零抵抗素子を取り付けた場合には，ドライバＩＣの１番ピンがＶＣＣ（本実施形態では、３．３Ｖ）となり，位置ＲＪ２に零抵抗素子を取り付けた場合には，ドライバＩＣの１番ピンがグラウンドレベルとなる配線が、形成されているプリント配線板となっている。
【００１５】
要するに、２４４ドライバＩＣは、図３に示した構成のＩＣとなっている。そして、２４５ドライバＩＣは、２４４ドライバＩＣと同形状の，図４に模式的に示した構成のＩＣであるため、２４５ドライバＩＣの１番ピン（ＤＩＲ）をhighレベルとすれば、２４５ドライバＩＣを、１番ピン（ＯＥ）をlowレベルとした２４４ドライバＩＣ（図３）と同機能のＩＣとして機能させることが出来ることになる。
【００１６】
そして、コントローラ基板１１ｂを上記構成のものとしておけば、ドライバＩＣ（２４４／２５５ドライバＩＣ）の１番ピンのレベル制御が簡単に行えるようになるため、本実施形態の印刷装置１０では、上記構成のコントローラ基板１１ｂを採用してあるのである。
【００１７】
以上の説明から明らかなように、本実施形態に係る印刷装置１０／コントローラ１１は、単方向ドライバＩＣ（２４４ドライバＩＣ）の代わりに、双方向ドライバＩＣ（２４５ドライバＩＣ）を用いることが可能な構成を有している。従って、この構成を採用しておけば、単方向ドライバＩＣが入手できない場合にも（双方向ドライバＩＣが入手できれば）、印刷装置１０／コントローラ１１を製造できることになる。
【００１８】
《変形形態》
上記した印刷装置１０／コントローラ１１は、各種の変形を行うことが出来る。例えば、１６２４４ドライバＩＣ（１６ビットの単方向ドライバＩＣ）或いは１６２４５ドライバＩＣ（１６ビットの双方向ドライバＩＣ）が使用できるものに、コントローラ１１（コントローラ基板１１ｂ）を変形することが出来る。なお、その場合には、１６２４４ドライバＩＣ，１６２４５ドライバＩＣは、各ピンが図５に示したように使用されているＩＣであるため、コントローラ基板１１ｂを、図６に示したような構成のものとしておけば良い。
【００１９】
また、上記した技術を利用して、印刷装置１０以外の装置（印刷装置１０以外の装置用のコントローラ１１）を製造しても良いことなどは、当然のことである。
【図面の簡単な説明】
【００２０】
【図１】本発明の一実施形態に係る印刷装置の構成図。
【図２】実施形態に係る印刷装置に用いられているコントローラ基板の構成の説明図。
【図３】２４４ドライバＩＣの構成，ピンアサインの説明図。
【図４】２４５ドライバＩＣの構成，ピンアサインの説明図。
【図５】１６２４４，１６２４５ドライバＩＣの構成，ピンアサインの説明図。
【図６】コントローラ／コントローラ基板の変形例の説明図。
【符号の説明】
【００２１】
１０  印刷装置、  １１  コントローラ、  １１ｂ  コントローラ基板
１２  操作パネル、  １３  印刷エンジン
【図１】
2008090736.tif 000003
【図２】
2008090736.tif 000004
【図３】
2008090736.tif 000005
【図４】
2008090736.tif 000006
【図５】
2008090736.tif 000007
【図６】
2008090736.tif 000008